(57)【要約】【課題】小型化を図りつつ、電池収納室内に挿入する電池の端子面との接触面積が大きい状態を維持することが可能な電池接片を提供する。【解決手段】電池接片（１）は、電池収納室（２）に対し、遊びをもって取り付けられており、電池収納室（２）に挿入した電池（７）の端子面（８）の傾きに応じて、電池接片（１）の先端部分の角度が変化することを特徴とする。【選択図】図７
2007227098.tif 000002
【特許請求の範囲】
【請求項１】
電池収納室に取り付けられる電池接片であって、
前記電池接片は、前記電池収納室に対し、遊びをもって取り付けられており、
前記電池収納室に挿入した前記電池の端子面の傾きに応じて、前記電池接片の先端部分の角度が変化することを特徴とする電池接片。
【請求項２】
前記電池接片を取り付ける前記電池収納室の固定部には、
半円形状または三角形状の凸部が形成されており、
前記電池接片は、前記凸部の頂上部に取り付けられてなることを特徴とする請求項１記載の電池接片。
【請求項３】
前記凸部の頂上部と、前記電池接片と、には、それぞれ勘合部材を挿入するための穴が設けられており、
前記電池接片は、前記勘合部材で、前記凸部の頂上部に取り付けられてなることを特徴とする請求項２記載の電池接片。
【請求項４】
前記電池接片が前記凸部の頂上部に取り付けられた状態で、
前記電池接片と前記凸部の頂上部とが線接触状態となることを特徴とする請求項２または３記載の電池接片。
【請求項５】
前記電池接片が前記凸部の頂上部に取り付けられた状態で、
前記勘合部材と前記電池接片との間に、前記遊びを構成する隙間が形成されてなることを特徴とする請求項４記載の電池接片。
【請求項６】
前記電池接片は、
前記電池の端子面と、前記電池接片と、が接触すると、前記電池接片は、前記線接触状態となる部分を支点とし、前記遊びを構成する隙間が形成された範囲内で、前記電池の端子面の傾きに応じて、前記電池接片の先端部分の角度が変化することを特徴とする請求項５記載の電池接片。
【請求項７】
前記電池接片は、前記電池の端子面にならって接触することで、前記電池の端子面と前記電池接片との接触面積が大きい状態を維持することを可能とすることを特徴とする請求項１記載の電池接片。
【請求項８】
請求項１から７の何れか１項に記載の電池接片を有することを特徴とする電子機器。
【発明の詳細な説明】
【技術分野】
【０００１】
本発明は、カメラやビデオカメラ、携帯電話機、携帯用機器などの電子機器の電池収納室内に取り付けられる電池接片、及び、その電池接片を備えた電子機器に関するものである。
【背景技術】
【０００２】
従来、電池収納室内に挿入する電池と、その電池室収納室に取り付けられている電池接片と、の接触面積が大きい状態を維持するために、電池接片自体を大きく変形できるような構造の電池接片があった。
【０００３】
しかしながら、電池接片自体を大きく変形するだけの充分なスペースを取れない小型の電子機器の場合には、電池接片自体を大きく変形できるような構造を採用することができず、結果的に、接触面積が大きい状態を維持することができないことになる。
【０００４】
このようなことから、小型の電子機器でも、電池収納室内に挿入する電池と、その電池室収納室に取り付けられている電池接片と、の接触面積が大きい状態を維持するような構造が所望されているのが現状である。
【０００５】
なお、本発明より先に出願された技術文献として、電極の配置が異なる２種類以上の電池を互換的に接続する端子機構と、該端子機構に接続された電池の電極から電力の供給を受ける被給電部と、を備えた機器において、端子機構は、異種の電池を夫々接続したときに、各電池の同一極の電極と接続される端子を、一つの共用端子部材により共用し、各電池の他極の電極と接続される端子を夫々別個の専用端子部材としたことを特徴とする機器の電池用端子機構が開示された文献がある（例えば、特許文献１参照）。
【特許文献１】特開２００４−３０９６８号公報
【発明の開示】
【発明が解決しようとする課題】
【０００６】
なお、上記特許文献１の端子機構は、異種の電池を夫々接続したときに、各電池の同一極の電極と接続される端子を、一つの共用端子部材により共用し、各電池の他極の電極と接続される端子を夫々別個の専用端子部材とするものであり、電池収納室内に挿入する電池と、その電池室収納室に取り付けられている電池接片と、の接触面積が大きい状態を維持するような構造については何ら考慮されたものではない。
【０００７】
本発明は、上記事情に鑑みてなされたものであり、小型化を図りつつ、電池収納室内に挿入する電池の端子面との接触面積が大きい状態を維持することが可能な電池接片、その電池接片を有する電気機器を提供することを目的とするものである。
【課題を解決するための手段】
【０００８】
かかる目的を達成するために、本発明は以下の特徴を有することとする。
【０００９】
本発明にかかる電池接片は、電池収納室に取り付けられる電池接片であって、電池接片は、電池収納室に対し、遊びをもって取り付けられており、電池収納室に挿入した電池の端子面の傾きに応じて、電池接片の先端部分の角度が変化することを特徴とするものである。
【００１０】
また、本発明にかかる電池接片において、電池接片を取り付ける電池収納室の固定部には、半円形状または三角形状の凸部が形成されており、電池接片は、凸部の頂上部に取り付けられてなることを特徴とするものである。
【００１１】
また、本発明にかかる電池接片は、凸部の頂上部と、電池接片と、には、それぞれ勘合部材を挿入するための穴が設けられており、電池接片は、勘合部材で、凸部の頂上部に取り付けられてなることを特徴とするものである。
【００１２】
また、本発明にかかる電池接片は、電池接片が凸部の頂上部に取り付けられた状態で、電池接片と凸部の頂上部とが線接触状態となることを特徴とするものである。
【００１３】
また、本発明にかかる電池接片は、電池接片が凸部の頂上部に取り付けられた状態で、勘合部材と電池接片との間に、遊びを構成する隙間が形成されてなることを特徴とするものである。
【００１４】
また、本発明にかかる電池接片において、電池接片は、電池の端子面と、電池接片と、が接触すると、電池接片は、線接触状態となる部分を支点とし、遊びを構成する隙間が形成された範囲内で、電池の端子面の傾きに応じて、電池接片の先端部分の角度が変化することを特徴とするものである。
【００１５】
また、本発明にかかる電池接片において、電池接片は、電池の端子面にならって接触することで、電池の端子面と電池接片との接触面積が大きい状態を維持することを可能とすることを特徴とするものである。
【００１６】
また、本発明にかかる電子機器は、上記記載の電池接片を有することを特徴とするものである。
【発明の効果】
【００１７】
本発明よれば、電池接片は、電池収納室に対し、遊びをもって取り付けられており、電池収納室に挿入した電池の端子面の傾きに応じて、電池接片の先端部分の角度が変化することで、小型化を図りつつ、電池収納室内に挿入する電池の端子面との接触面積が大きい状態を維持することが可能となる。
【発明を実施するための最良の形態】
【００１８】
まず、図１、図７を参照しながら、本実施形態における電池接片の特徴について説明する。
【００１９】
本実施形態における電池接片（１）は、図１に示すように、電池収納室（２）に取り付けられる電池接片（１）であり、電池接片（１）は、電池収納室（２）に対し、遊びをもって取り付けられており、図７に示すように、電池収納室（２）に挿入した電池（７）の端子面（８）の傾きに応じて、電池接片（１）の先端部分の角度が変化することを特徴とするものである。これにより、小型化を図りつつ、電池収納室（２）内に挿入する電池（７）の端子面（８）との接触面積が大きい状態を維持することが可能となる。以下、添付図面を参照しながら、本実施形態の電池接片について説明する。
【００２０】
まず、図１〜図５を参照しながら、本実施形態における電池接片の構成について説明する。なお、図１は、本実施形態の電池接片（１）を有する電池収納室（２）の外観斜視図を示す。また、図２は、図１に示す電池収納室（２）の背面側から見た断面図を示す。また、図３は、図２に示す固定部（３）の形状の外観斜視図を示す。また、図４は、図３に示す固定部（３）に電池接片（１）を勘合部材（４）を用いて取り付けた状態を示す。また、図５は、図４に示す電池接片（１）を、遊びを構成する隙間（６）の範囲内で任意に変化させた状態を示す。
【００２１】
本実施形態における電池接片（１）は、図１に示すように、電池収納室（２）の長手方向の端部に取り付けられて構成される。
【００２２】
なお、電池収納室（２）には、図２に示すように、電池接片（１）を取り付けるための固定部（３）を有して構成される。なお、本実施形態における固定部（３）は、半円形状にて構成されており、電池接片（１）は、半円形状の固定部（３）の頂上部分に対し、勘合部材（４）によって取り付けられることになる。このとき、電池接片（１）と固定部（３）の頂上部分とが接触する接触部分（５）は、線接触状態となる。
【００２３】
なお、半円形状の固定部（３）の頂上部分には、図３に示すように、勘合部材（４）を挿入するための穴（１０）が設けられており、また、電池接片（１）にも同様に、勘合部材（４）を挿入するための穴が設けられている。そして、固定部（３）に設けられた穴（１０）と、電池接片（１）に設けられた穴と、に対し、勘合部材（４）を挿入し、電池接片（１）を固定部（３）の頂上部分に取り付けることで、図２に示すように、電池接片（１）が固定部（３）の頂上部分に線接触状態にて取り付けられることになる。
【００２４】
なお、半円形状の固定部（３）の頂上部分に設けられる穴（１０）は、勘合部材（４）が最後まで締まりきらない状態を構成するような深さで設けられることになる。これにより、図４に示すように、勘合部材（４）で締め付けた状態において、電池接片（１）と、勘合部材（４）の頭部と、の間に隙間（６）が形成されることになる。なお、図４に示す隙間（６）が電池接片（１）の遊びを構成することになる。これにより、電池接片（１）は、図５に示すように、遊びを構成する隙間（６）の範囲内で、任意に角度を変化させることが可能となる。なお、本実施形態における電池接片（１）は、図４に示すように、勘合部材（４）で締め付けた状態において、勘合部材（４）と、電池接片（１）と、の間には、ガタ部（９）が構成されるようにする。これにより、電池接片（１）は、遊びを構成する隙間（６）の範囲内で、任意に角度を変化させることが可能となる。
【００２５】
次に、図６〜図８を参照しながら、図１に示す電池収納室（２）内に電池を収納した状態について説明する。なお、図６は、電池収納室（２）内に電池（７）を挿入した状態の外観斜視図を示す。また、図７は、図６に示す電池収納室（２）の前面側から見た断面図を示し、電池端子面（８）と、電池接片（１）の先端部分と、が接触している部分を拡大した状態を示す。また、図８は、電池収納室（２）に設けられる固定部（３）に対し、電池接片（１）を勘合部材（４）で取り付けた状態を示す。
【００２６】
本実施形態における電池接片（１）は、図６に示すように、電池収納室（２）の長手方向に対し、電池（７）を挿入することになる。
【００２７】
なお、図６に示すように、電池収納室（２）の長手方向に対し、電池（７）を挿入した場合、図７に示すように、電池収納室（２）に挿入した電池（７）は平行な状態ではなく、平行な状態からわずかに傾き（Δθ）をもった状態で保持されることになる。
【００２８】
また、電池（７）が平行な状態に挿入されても、電池端子面（８）にわずかな傾きがある場合も、図７に示すように、平行な状態からわずかに傾き（Δθ）をもった状態で保持されることになる。このように、本実施形態における電池接片（１）は、図７に示すように、電池端子面（８）の傾き（Δθ）に応じて、電池接片（１）の先端部分の角度を変えることが可能な構造を構成することが可能となる。
【００２９】
なお、図８は、電池端子面（８）の傾き（Δθ）に応じて、電池接片（１）の角度が変化した状態での、固定部（３）付近の断面を示す。
【００３０】
本実施形態における電池接片（１）は、図８に示すように、電池端子面（８）の傾き（Δθ）にならって、線接触状態の接触部分（５）を支点に、遊びを構成する隙間（６）が形成された範囲内で傾くことが可能となる。
【００３１】
このように、本実施形態における電池接片（１）は、遊びを構成する隙間（６）が形成された範囲内で、電池端子面（８）の傾きに応じて、電池接片（１）の先端部分の角度を変化させることで、電池端子面（８）と電池接片（１）との接触面積が大きい状態を維持することが可能となる。
【００３２】
（第２の実施形態）
次に、第２の実施形態について説明する。
【００３３】
第２の実施形態における電池接片（１）は、図９に示すように、電池接片（１）取り付けるための固定部（３）の形状を三角形状にしたことを特徴とするものである。
【００３４】
このように、第２の実施形態における電池接片（１）は、固定部（３）の形状を三角形状に構成しても、上述した第１の実施形態の電池接片（１）と同様に、電池接片（１）と、固定部（３）の頂上部分と、が接触する接触部分（５）が、線接触状態を構成することになり、遊びを構成する隙間（６）が形成された範囲内で、電池（７）の端子面の傾きに応じて、電池接片（１）の先端部分の角度を変化させることで、電池端子面（８）と電池接片（１）との接触面積が大きい状態を維持することが可能となる。
【００３５】
（第３の実施形態）
次に、第３の実施形態について説明する。
【００３６】
第１の実施形態における電池接片（１）は、勘合部材（４）として、頭部を有するネジを用いて、電池接片（１）を固定部（３）に取り付けることにしたが、第３の実施形態における電池接片（１）は、図１０に示すように、勘合部材（４）として、頭部を有するピンを用いて、電池接片（１）を固定部（３）に取り付けることを特徴とするものである。
【００３７】
このように、第３の実施形態における電池接片（１）は、勘合部材（４）として、頭部を有するピンを用いても、電池接片（１）を固定部（３）に取り付けることが可能となる。なお、本実施形態における電池接片（１）を固定部（３）に取り付けるための勘合部材（４）は、頭部を有するネジやピンに限定するものではなく、遊びを構成する隙間（６）を形成しつつ、電池接片（１）を固定部（３）に取り付けることが可能であれば、あらゆる形状の勘合部材（４）を適用することは可能である。
【００３８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【産業上の利用可能性】
【００３９】
本発明にかかる電池接片は、カメラやビデオカメラ、携帯電話機、携帯用機器などの電子機器の電池収納室内に取り付けられる電池接片に適用可能である。
【図面の簡単な説明】
【００４０】
【図１】本実施形態の電池接片（１）を有する電池収納室（２）の外観斜視図である。
【図２】図１に示す電池収納室（２）の背面側から見た断面図である。
【図３】図２に示す固定部（３）の形状の外観斜視図である。
【図４】図３に示す固定部（３）に、電池接片（１）を勘合部材（４）で取り付けた状態を示す図である。
【図５】図４に示す電池接片（１）を隙間（６）の範囲内で任意に変化させた状態を示す図である。
【図６】電池収納室（２）に電池（７）を挿入した状態の外観斜視図である。
【図７】図６に示す電池収納室（２）の前面側から見た断面図であり、電池端子面（８）と、電池接片（１）と、が接触している部分を拡大した状態を示す図である。
【図８】電池収納室（２）に設けられる固定部（３）に電池接片（１）を勘合部材（４）で取り付けた状態を示す図である。
【図９】第２の実施形態における電池接片（１）を有する電池収納室（２）の背面側から見た断面図である。
【図１０】第３の実施形態における電池接片（１）を、固定部（３）に取り付けた状態を示す図である。
【符号の説明】
【００４１】
１    電池接片
２    電池収納室
３    固定部
４    勘合部材
５    接触部分
６    隙間
７    電池
８    電池端子面
９    ガタ部
１０    穴
【図１】
2007227098.tif 000003
【図２】
2007227098.tif 000004
【図３】
2007227098.tif 000005
【図４】
2007227098.tif 000006
【図５】
2007227098.tif 000007
【図６】
2007227098.tif 000008
【図７】
2007227098.tif 000009
【図８】
2007227098.tif 000010
【図９】
2007227098.tif 000011
【図１０】
2007227098.tif 000012